(57)【要約】【課題】護岸形状や河川の断面形状を大きく変えることなく、水辺の生物にとって好適な生息場所を作り出すと共に景観の向上を図った。【解決手段】コンクリート護岸構造１は、河川などの護岸に埋設される護岸本体部１１と、護岸本体部１１に一体に設けられて護岸本体部１１の河川側壁面１１ａから河川側に張り出してなる植栽収納部１２からなるコンクリートブロック１０と、植栽収納部１２に収納される植栽基盤材２０とを備えている。植栽収納部１２の底部１２ｄには網目が形成された網目下敷材３０を設け、植栽収納部１２の上面の開口部１２ａには、貫通穴４１を有する蓋体４０を設けた。【選択図】図３
2008127795.tif 000002
【特許請求の範囲】
【請求項１】
河川などの護岸に設けられるコンクリート護岸構造であって、
前記護岸に埋設される護岸本体部、及び前記護岸本体部に一体に設けられて前記護岸本体部の河川側壁面から河川側に張り出して上下面に開口を有する植栽収納部からなるコンクリート構造体と、
前記植栽収納部に収納される植栽基盤材と、
を備えていることを特徴とするコンクリート護岸構造。
【請求項２】
前記植栽収納部の底部には、網目が形成された網目下敷材が設けられていることを特徴とする請求項１に記載のコンクリート護岸構造。
【請求項３】
前記植栽収納部の上面には、貫通穴を有する蓋体が設けられていることを特徴とする請求項１又は２に記載のコンクリート護岸構造。
【請求項４】
前記コンクリート構造体は、前記収納される前記植栽基盤材の下面が前記河川の水位より低くなるように設置されていることを特徴とする請求項１乃至３のいずれかに記載のコンクリート護岸構造。
【発明の詳細な説明】
【技術分野】
【０００１】
本発明は、河川などに設置されるコンクリート護岸構造に関する。
【背景技術】
【０００２】
従来、河川など護岸では、魚類などの水生生物は、護岸からオーバーハングした岩の下や水面に覆いかぶさった植物の下などの物陰を隠れ場として利用したり、繁殖にあたっては水中の水草に産卵する種類も多いとされる。さらに、都市型の河川護岸などでは、コンクリート張りにしたり、コンクリートブロックを積み上げて施工され、そのコンクリートのみが露出した状態となることから景観的にも自然に乏しい人工的な空間となっているのが一般的である。このようなコンクリートで構築された河川にも放流魚などが生息しているが、産卵場所や稚魚の成育に適する場所が少なく、自然繁殖がなされないといった現状がある。
そこで、近年では都市河川の環境再生事業が推進されており、環境に配慮した護岸構造が例えば特許文献１に提案されている。
特許文献１は、穴の開いた筒状物を護岸用のコンクリートブロックに埋設した構造物であって、筒状物が河川の水中部分に位置するようにコンクリートブロックを設置することで魚類の棲家を提供するものである。
【特許文献１】特開２００５−２５６３７７号公報
【発明の開示】
【発明が解決しようとする課題】
【０００３】
しかしながら、特許文献１は、コンクリートブロックに埋設されている筒状物を魚類の棲家にする構成であり、そのコンクリートブロックを水中に沈める必要があることから、川幅や河川断面が例えば都市河川と比べて十分に大きいことが要求される。そのため、都市などにおける河川護岸に特許文献１のブロックを採用する場合には、自然に形成されるような緩やかな勾配の土護岸に改変しなければならないという問題があった。つまり、都市河川の護岸は、そのほとんどが垂直に近い護岸をもつ３面コンクリート張りとなっており、さらにその都市河川の周囲には例えば住宅や道路などの多くの既設建造物が建ち並んだ状態となっているうえ、洪水対策といった観点からも上述したような緩やかな勾配の土護岸に改変して施工することが困難となっている。そのため、都市河川のように川幅が狭く、河川断面の小さな河川に好適で、しかも景観はもちろん水生生物に対して環境に配慮した護岸構造が求められている。
【０００４】
本発明は、上述する問題点に鑑みてなされたもので、護岸形状や河川の断面形状を大きく変えることなく、水辺の生物にとって好適な生息場所を作り出すと共に景観の向上を図ったコンクリート護岸構造を提供することを目的とする。
【課題を解決するための手段】
【０００５】
上記目的を達成するため、本発明に係るコンクリート護岸構造では、河川などの護岸に設けられるコンクリート護岸構造であって、護岸に埋設される護岸本体部、及び護岸本体部に一体に設けられて護岸本体部の河川側壁面から河川側に張り出して上下面に開口を有する植栽収納部からなるコンクリート構造体と、植栽収納部に収納される植栽基盤材とを備えていることを特徴としている。
本発明では、護岸の形状に合わせたコンクリート構造体を形成し、コンクリート構造物の護岸本体部を護岸に埋設して設置できることから、略垂直に切り立つ護岸にも適用することができる。そして、植栽収納部は、護岸本体部の河川側壁面から河川側に張り出した状態で設置され、この植栽収納部に植栽基盤材を収納し、その植栽基盤材に植物を植栽する。植栽された植物は、植栽収納部の上面の開口から葉を生育させて護岸の緑化を促進することができ、植栽収納部の下面の開口から根を水中に伸ばして生育することができる。
【０００６】
また、本発明に係るコンクリート護岸構造では、植栽収納部の底部には、網目が形成された網目下敷材が設けられていることが好ましい。
本発明では、植栽基盤材に植えられた植物の根を下方（河川の水中）に突出させて生やすことができる。そして、植栽基盤材には、網目下敷材を介して水分を補給することができる。さらに、植栽基盤材を下方より支持して押さえる作用を有することから、植栽基盤材の流出を防ぐことができる。
【０００７】
また、本発明に係るコンクリート護岸構造では、植栽収納部の上面には、貫通穴を有する蓋体が設けられていることが好ましい。
本発明では、植栽収納部に植栽基盤材を収納して蓋体によって蓋をすることで、植栽基盤材が植栽収納部の上面の開口から流出することを防止することができる。そして、蓋体の貫通穴から植栽収納部に植栽した植物の茎葉の部分を上方に出して生育させることができ、景観を良好とすることができる。
【０００８】
また、本発明に係るコンクリート護岸構造では、コンクリート構造体は、収納される植栽基盤材の下面が河川の水位より低くなるように設置されていることが好ましい。
本発明では、植栽基盤材は、その下面より河川の水を吸収することができ、植物に水分を供給させることができる。
【発明の効果】
【０００９】
本発明のコンクリート護岸構造によれば、コンクリート構造体の護岸本体部を護岸に埋め込んで護岸面に植栽収納部を配置させ、その植栽収納部に植栽する構成であることから、護岸の形状に合わせたコンクリート構造体を形成することで、護岸形状や河川の断面形状をほとんど変えることなく、スペースの限られた都市域の河川に適用することができる。
さらに、植栽収納部は自然にオーバーハングした岩や水面に覆いかぶさった植物と同様の役割を果たすことになり、植栽収納部の下方に多くの水生植物の棲家を形成できるなど水辺の生物の生息場所を作り出すことができる。さらに、植栽した植物は河川上方の陸上から眺めることができ、景観の向上を図った護岸構造を実現することができる。
【発明を実施するための最良の形態】
【００１０】
以下、本発明に係るコンクリート護岸構造の実施の形態について、図１乃至図３に基づいて説明する。
図１は本発明の実施の形態によるコンクリート護岸構造を示す図、図２は護岸構造体を示す平面図、図３は図２に示すＡ−Ａ線断面図である。
【００１１】
図１に示すように、本実施の形態によるコンクリート護岸構造１は、例えば都市河川で左右両岸部が略垂直に切り立つような形状（図１では一方の岸部を示している）をなすコンクリート張りの護岸Ｇに適用される。このコンクリート護岸構造１は、護岸Ｇの一部を構成すると共に河川側に植栽収納部１２（後述）を設けてなるコンクリートブロック１０（コンクリート構造体）と、植栽収納部１２に収納される植栽基盤材２０とからなる。コンクリートブロック１０は、プレキャストコンクリート製とされ、例えば予め工場などで製作して施工箇所に運搬することができる。
【００１２】
図２及び図３に示すように、コンクリートブロック１０は、護岸Ｇに一部を埋設させて設置される護岸本体部１１と、護岸本体部１１の河川側壁面１１ａに一体に設けられた植栽収納部１２とからなる。
護岸本体部１１は、縦壁１１Ａと横壁１１Ｂとからなる断面視略Ｌ字形状をなしている。横壁１１Ｂの両側部（図２の上下方向の端部）には、補強体１１Ｃ、１１Ｃが固定されている。そして、コンクリートブロック１０の設置時には、護岸Ｇの水面付近（設置箇所は後述する）において横壁１１Ｂ及び補強体１１Ｃ、１１Ｃが護岸Ｇに埋設されることになる（図１参照）。
【００１３】
図３に示すように、植栽収納部１２は、箱型状をなし、護岸本体部１１の縦壁１１Ａの河川側壁面１１ａから河川側に張り出した状態で設けられ、その上面に開口部１２ａが形成されている。また、植栽収納部１２の下面は、所定の大きさの開口穴１２ｂが形成されている。また、植栽収納部１２の内周面上部には段差係止部１２ｃが形成され、後述する蓋体４０を係合させるようになっている。このように構成される植栽収納部１２には、植栽基盤材２０が収容されるようになっている。
【００１４】
さらに、図３に示すように、植栽収納部１２には、その底部１２ｄに網目下敷材３０が設けられ、その上面に蓋体４０が設けられている。
網目下敷材３０は、例えば５ｍｍの目開き寸法を形成させたものであり、植栽基盤材２０に植えられた植物Ｐの根を下方（河川の水中）に突出させて生やすことができる。そして、植栽基盤材２０には、網目下敷材３０を介して水分を補給することができる。さらに、植栽基盤材２０を下方より支持して押さえる作用を有することから、植栽基盤材２０の流出を防ぐことができる。
【００１５】
図２に示すように、蓋体４０は、略平板形状をなし、コンクリートブロック１０の植栽収納部１２の段差係止部１２ｃに係合し、植栽収納部１２の開口部１２ａに蓋をするものである。このように蓋体４０を設置することで、開口部１２ａから植栽基盤材２０が流出することを防止できる。
さらに、蓋体４０には、所定の大きさの貫通穴４１、４１、…（ここでは円形穴とされる）が複数設けられている。これにより、蓋体４０の貫通穴４１、４１、…から植栽収納部１２に植栽した植物Ｐ（図３参照）の茎葉の部分を上方に出して生育させることができ、景観を良好とすることができる。
【００１６】
植栽収納部１２に収納される植栽基盤材２０は、植栽収納部１２に収容される外形寸法をなし、ヤシ殻繊維などの繊維質材料又は土、砂、砂利、軽量骨材など、あるいはこれらを混合した材料などが使用される。
【００１７】
このように、本コンクリートブロック１０では、護岸本体部１１の横壁１１Ｂ及び補強体１１Ｃ、１１Ｃを護岸Ｇに埋設して設置できることから、本実施の形態のように略垂直に切り立つ護岸Ｇに適用することができる。植栽された植物Ｐは、植栽収納部１２の上面の開口部１２ａ（蓋体４０の貫通穴４１）から茎葉を伸ばして河川の緑化を促進することができ、下面の開口穴１２ｂ（網目下敷材３０）から根を水中に伸ばして成長することができる。
また、図１に示すように、護岸Ｇに設置されるコンクリートブロック１０の位置は、植栽収納部１２内の植栽基盤材２０の下面２０ａが通常水位範囲（図１の符号Ｗ）の最低水面より低くなるようにする。そうすると、植栽基盤材２０は、その下面２０ａより河川の水を吸収することができ、植物Ｐに水分を供給させることができる。
【００１８】
上述のように実施の形態によるコンクリート護岸構造では、コンクリートブロック１０の護岸本体部１１を護岸Ｇに埋め込んで護岸面に植栽収納部１２を配置させ、その植栽収納部１２に植栽する構成であることから、護岸の形状に合わせたコンクリートブロック１０を形成することで、護岸形状や河川の断面形状をほとんど変えることなく、スペースの限られた都市域の河川に適用することができる。
さらに、植栽収納部１２は自然にオーバーハングした岩や水面に覆いかぶさった植物と同様の役割を果たすことになり、植栽収納部１２の下方に多くの水生植物の棲家を形成できるなど水辺の生物の生息場所を作り出すことができる。さらに、植栽した植物Ｐは河川上方の陸上から眺めることができ、景観の向上を図った護岸構造を実現することができる。
【００１９】
以上、本発明によるコンクリート護岸構造の実施の形態について説明したが、本発明は上記の実施の形態に限定されるものではなく、その趣旨を逸脱しない範囲で適宜変更可能である。
例えば、本実施の形態ではコンクリートブロック１０としているが、施工現場の所定位置でコンクリートブロック１０と同様の形状にコンクリートを打設して構築してもかまわない。また、本コンクリート護岸構造１の設置工事は、新設は勿論、既設の河川護岸をリニューアルする工事であっても勿論かまわない。
さらに、本実施の形態では都市河川で略垂直をなす護岸Ｇに対応しているが、都市河川であることに限定されるものではなく、また川幅あり緩やかに形成することができる護岸形状の護岸に用いることも可能である。
そして、コンクリートブロック１０の護岸本体部１１、植栽収納部１２、補強体１１Ｃの具体的な形状、寸法に関する制限はなく、設置対象となる河川の護岸形状、河川断面などの条件に応じて適宜設定すればよいとされる。また、網目下敷材３０の網目寸法の大きさや、蓋体４０に形成される貫通穴４１の形状、大きさ、数量についてもとくに実施の形態に限定されるものではない。
【図面の簡単な説明】
【００２０】
【図１】本発明の実施の形態によるコンクリート護岸構造を示す図である。
【図２】護岸構造体を示す平面図である。
【図３】図２に示すＡ−Ａ線断面図である。
【符号の説明】
【００２１】
１  コンクリート護岸構造
１０  コンクリートブロック（コンクリート構造体）
１１  護岸本体部
１２  植栽収納部
２０  植栽基盤材
３０  網目下敷材
４０  蓋体
Ｇ  護岸
Ｐ  植物
Ｗ  通常水位
【図１】
2008127795.tif 000003
【図２】
2008127795.tif 000004
【図３】
2008127795.tif 000005